(57)【特許請求の範囲】
【請求項１】
コンロ本体の横方向中間部にグリル庫が組み込まれたグリル付きテーブルコンロであって、電気配線を束ねたハーネスを、コンロ本体の底部前端のボトムフレームに沿わせて、グリル庫の下を横断するように配設するものにおいて、
ボトムフレームのグリル庫底板が載せられる横方向中間部を、起立した前板部と、前板部の下端から後方に屈曲し、グリル庫底板の下方に隙間を存して対向する下板部とを有する形状に形成し、グリル庫底板と下板部との間の隙間にハーネスを収納することを特徴とするグリル付きテーブルコンロ。
【請求項２】
前記グリル庫底板よりも下に、前記ハーネスを上方から覆う配線カバーが設けられることを特徴とする請求項１記載のグリル付きテーブルコンロ。
【発明の詳細な説明】
【技術分野】
【０００１】
本発明は、コンロ本体の横方向中間部にグリル庫が組み込まれたグリル付きテーブルコンロに関する。
【背景技術】
【０００２】
従来、この種のテーブルコンロとして、電気配線を束ねたハーネスを、コンロ本体の底部前端のボトムフレームに沿わせて、グリル庫の下を横断するように配設するものが知られている(例えば、特許文献１参照)。このものでは、ボトムフレームの下にハーネスを配設し、ハーネスを下方から支持するガイド板をボトムフレームに下方から取付けている。
【０００３】
これによれば、ハーネスが下方に垂れ下がることをガイド板によって防止できる。然し、ボトムフレームの下面にガイド板が固定される関係で、テーブルコンロを載置するガス台を掃除するために、テーブルコンロの下に手を差し入れて動かす際、ガイド板の両端のエッジに手が当たって、手に傷を付けてしまうことがある。
【先行技術文献】
【特許文献】
【０００４】
【特許文献１】特開２０１０−６５８８１号公報
【発明の概要】
【発明が解決しようとする課題】
【０００５】
本発明は、以上の点に鑑み、コンロ本体の底部前端のボトムフレームに沿わせて配設するハーネスの垂れ下がりを防止できると共に、ガス台を掃除する際に手に傷を付ける恐れもなくしたグリル付きテーブルコンロを提供することをその課題としている。
【課題を解決するための手段】
【０００６】
上記課題を解決するために、本発明は、コンロ本体の横方向中間部にグリル庫が組み込まれたグリル付きテーブルコンロであって、電気配線を束ねたハーネスを、コンロ本体の底部前端のボトムフレームに沿わせて、グリル庫の下を横断するように配設するものにおいて、ボトムフレームのグリル庫底板が載せられる横方向中間部を、起立した前板部と、前板部の下端から後方に屈曲し、グリル庫底板の下方に隙間を存して対向する下板部とを有する形状に形成し、グリル庫底板と下板部との間の隙間にハーネスを収納することを特徴とする。
【０００７】
本発明によれば、コンロ本体の底部前端のボトムフレームに沿わせて配設するハーネスがボトムフレームの下板部によって下方から支持されることになり、ハーネスの垂れ下がりを防止できる。また、従来例の如くボトムフレームの下面にハーネスを支持するガイド板を取付けずに済むため、ガス台を掃除する際にガイド板のエッジで手に傷を付ける恐れもない。更に、ハーネスはグリル庫底板の下及びボトムフレームの前板部の後に隠れて外観に現れず、体裁も良好になる。
【０００８】
尚、ハーネスの被覆が耐熱性の低い安価なものであると、グリル庫底板に被覆が触れた場合、被覆が熱で損傷する可能性がある。そのため、本発明においては、グリル庫底板よりも下に、ハーネスを上方から覆う配線カバーを設けることが望ましい。これによれば、ハーネスの被覆がグリル庫底板に接触せず、被覆が耐熱性の低い安価なものであっても熱による損傷は生じない。
【図面の簡単な説明】
【０００９】
【図１】本発明の実施形態のグリル付きテーブルコンロの斜視図。
【図２】図１のテーブルコンロの切断側面図。
【図３】図１のテーブルコンロのグリル庫を取外した状態の要部の斜視図。
【発明を実施するための形態】
【００１０】
図１を参照して、１は、本発明の実施形態のテーブルコンロのコンロ本体を示している。コンロ本体１の横方向中間部にはグリル庫２が組み込まれている。また、コンロ本体１の上面を覆う天板３上には左右一対のコンロバーナ４、４が露出しており、天板３に各コンロバーナ４を囲うようにして五徳５が載置されている。
【００１１】
グリル庫２は、前面に開閉自在なグリル扉２１を備えている。グリル庫２内には、図２に示す如く、グリル皿２２が収納されており、グリル皿２２上に支持される焼き網２３に載せた被調理物がグリル庫２の天井部に装着された上火バーナ２４で焼成されるようにしている。また、グリル皿２２の前端のフランジ部２２ａの前縁には、下方に屈曲する係止片部２２ｂが設けられている。そして、係止片部２２ｂをグリル扉２１の裏板部に取付けた側面視コ字状の板バネ製連結金具２５の上下の片２５ａ、２５ｂ間に挟み込んで、グリル皿２２をグリル扉２１に連結し、グリル扉２１の開閉操作に連動してグリル皿２２がグリル庫２に出し入れされるようにしている。
【００１２】
コンロ本体１の底部前端には、図２、図３に示す如く、ボトムフレーム１１が設けられている。そして、電気配線６ａを束ねた被覆６ｂ付きのハーネス６を、ボトムフレーム１１に沿わせて、グリル庫２の下を横断するように配設している。
【００１３】
ここで、本実施形態では、ボトムフレーム１１のグリル庫底板２ａが載せられる横方向中間部を、起立した前板部１１ａと、前板部１１ａの下端から後方に屈曲し、グリル庫底板２ａの下方に隙間を存して対向する下板部１１ｂとを有する形状に形成している。尚、ボトムフレーム１１の横方向中間部の下板部１１ｂの後部には、上方に凸のビード部１１ｃが形成されている。このビード部１１ｃには、グリル庫底板２ａに当接する上方に隆起した横方向中央の突起部１１ｄと、グリル庫底板２ａに形成した下方に突出する位置決め突起(図示せず)が嵌合する上端の孔１１ｅを有する、横方向両側部に位置する上方に隆起した受座１１ｆと、グリル庫底板２ａを締結する上端のねじ孔１１ｇを有する、受座１１ｆよりも横方向外側に位置する上方に隆起した取付座１１ｈとが形成されている。
【００１４】
ハーネス６は、グリル庫底板２ａとボトムフレーム１１のビード部１１ｃより前側の下板部１１ｂとの間の隙間に収納されている。また、グリル庫底板２ａよりも下に、ハーネス６を上方から覆う配線カバー７が設けられている。
【００１５】
以上の構成によれば、コンロ本体１の底部前端のボトムフレーム１１に沿わせて配設するハーネス６がボトムフレーム１１の下板部１１ｂによって下方から支持されることになり、ハーネス６の垂れ下がりを防止できる。また、上記従来例の如くボトムフレーム１１の下面にハーネス６を支持するガイド板を取付けずに済むため、ガス台を掃除する際にガイド板のエッジで手に傷を付ける恐れもない。更に、ハーネス６はグリル庫底板２ａの下及びボトムフレーム１１の前板部１１ａの後に隠れて外観に現れず、体裁も良好になる。
【００１６】
また、ハーネス６の被覆６ｂが耐熱性の低い安価なものである場合、グリル庫底板２ａに被覆６ｂが触れると、被覆６ｂが熱で損傷する可能性がある。然し、本実施形態では、ハーネス６を上方から覆う配線カバー７を設けるため、ハーネス６の被覆６ｂがグリル庫底板２ａに接触する恐れはなく、被覆６ｂが耐熱性の低い安価なものであっても熱による損傷は生じない。尚、配線カバー７は必要不可欠ではない。
【符号の説明】
【００１７】
１…コンロ本体、１１…ボトムフレーム、１１ａ…前板部、１１ｂ…下板部、２…グリル庫、２ａ…グリル庫底板、６…ハーネス、６ａ…電気配線、７…配線カバー。
【図１】
0005943434.tif 000002
【図２】
0005943434.tif 000003
【図３】
0005943434.tif 000004